(57)【要約】【課題】キー配置のために筐体の開口を仕切る縦横のリブの一方をなくして小型化しながら、筐体の強度も確保する。【解決手段】縦方向または横方向いずれか一方向のリブ１２により仕切られた開口を有する筐体（１）と、その開口に沿って配置される複数のキー３１と、筐体に内蔵される基板３５と、を備えるキー装置（３）であって、リブ１２を基板３５に係合する。具体的には、リブ１２に形成される突起１５を、基板３５に形成される孔３６に挿入する。さらに、キー３１と基板３５との間に配置されるインナーラバー３７を備え、リブ１２の突起１５を、インナーラバー３７に形成される孔３８に貫通する。【選択図】図５
2011222340.tif 000002
【特許請求の範囲】
【請求項１】
縦方向または横方向いずれか一方向のリブにより仕切られた開口を有する筐体と、
前記開口に沿って配置される複数のキーと、
前記筐体に内蔵される基板と、を備え、
前記リブを前記基板に係合したことを特徴とするキー装置。
【請求項２】
前記リブに形成される突起を、前記基板に形成される孔に挿入したことを特徴とする請求項１に記載のキー装置。
【請求項３】
前記キーと基板との間に配置されるインナーラバーを備え、
前記リブの突起を、前記インナーラバーに形成される孔に貫通したことを特徴とする請求項２に記載のキー装置。
【請求項４】
前記キーは、前記リブに対し抜け止めされるフランジを有していることを特徴とする請求項１から３のいずれか一項に記載のキー装置。
【請求項５】
請求項１から４のいずれか一項に記載のキー装置を備えることを特徴とする電子機器。
【発明の詳細な説明】
【技術分野】
【０００１】
本発明は、キー配置のために筐体の開口を仕切る縦横のリブの一方をなくして小型化したキー装置と、そのキー装置を備える電子機器に関する。
【背景技術】
【０００２】
電卓等のキー装置において、従来は、筐体の縦横リブにより仕切られた開口に、抜け止め用のフランジ付きのキートップが位置する構造であったが、小型化のためには開口を仕切る縦横のリブの一方をない構造としたい。そのためには、キートップのフランジもなくす必要がある。
特許文献１には、フランジなしのキートップをベースフィルムに接着したキースイッチ構造が提案されている。
【先行技術文献】
【特許文献】
【０００３】
【特許文献１】特開２００７−１０９４８６号公報
【発明の概要】
【発明が解決しようとする課題】
【０００４】
特許文献１のキートップはフランジなしだが、そのキートップをベースフィルムに接着する必要がある。
しかし、キートップをベースフィルムに接着するのはコストがかかる問題がある。
また、キー配置のために筐体に設ける縦横のリブの一方をなくした場合、筐体の強度低下が問題となる。
【０００５】
本発明の課題は、キー配置のために筐体の開口を仕切る縦横のリブの一方をなくして小型化しながら、筐体の強度も確保することである。
【課題を解決するための手段】
【０００６】
以上の課題を解決するため、請求項１に記載の発明は、縦方向または横方向いずれか一方向のリブにより仕切られた開口を有する筐体と、前記開口に沿って配置される複数のキーと、前記筐体に内蔵される基板と、を備えるキー装置であって、前記リブを前記基板に係合したことを特徴とする。
【０００７】
請求項２に記載の発明は、請求項１に記載のキー装置であって、前記リブに形成される突起を、前記基板に形成される孔に挿入したことを特徴とする。
【０００８】
請求項３に記載の発明は、請求項２に記載のキー装置であって、前記キーと基板との間に配置されるインナーラバーを備え、前記リブの突起を、前記インナーラバーに形成される孔に貫通したことを特徴とする。
【０００９】
請求項４に記載の発明は、請求項１から３のいずれか一項に記載のキー装置であって、前記キーは、前記リブに対し抜け止めされるフランジを有していることを特徴とする。
【００１０】
請求項５に記載の発明は、請求項１から４のいずれか一項に記載のキー装置を備える電子機器を特徴とする。
【発明の効果】
【００１１】
本発明によれば、キー配置のために筐体の開口を仕切る縦横のリブの一方をなくして小型化しながら、筐体の強度も確保することができる。
【図面の簡単な説明】
【００１２】
【図１】本発明を適用した電子機器の一実施形態の構成を示すもので、電卓を示した正面図である。
【図２】図１の矢印Ａ−Ａ線に沿った拡大断面図である。
【図３】図１の矢印Ｂ−Ｂ線に沿った拡大断面図である。
【図４】図１のキーを挿入した上ケースを裏側から見た一部破断の拡大斜視図である。
【図５】図１のリブと基板との係合関係を示した一部破断の拡大斜視図である。
【図６】図５の基板の裏面側から見た斜視図である。
【発明を実施するための形態】
【００１３】
以下、図を参照して本発明を実施するための形態を詳細に説明する。
図１は本発明を適用した電子機器の一実施形態の構成として電卓を示したもので、図中、１は筐体、２は表示部、３は本発明によるキー装置、４は他のキー装置である。
【００１４】
図示例において、筐体１には、上部に表示部２が設けられて、下部に本発明によるキー装置３が設けられるとともに、中間部に他のキー装置４が設けられている。
【００１５】
図２及び図３は本発明によるキー装置３の断面を示したもので、図中、１１は上ケース、１２は横方向のリブ、３１はキー、３５は基板、３７はインナーラバーである。
【００１６】
図示のように、筐体１の上ケース１１の下部には、本発明によるキー装置３のキー３１を横方向に並べて配置するための開口を上下に仕切る横方向のリブ１２のみが形成されていて、縦方向のリブは形成されていない。
【００１７】
キー３１は、上ケース１１の横方向のリブ１２により仕切られた開口の上下にフランジ３２が当接して抜け止めされて、基板３５に重ねたインナーラバー３７のスイッチ部に対応するドーム部に重ねて配置されている。
【００１８】
図４はキー３１を挿入した上ケース１１を裏側から見たもので、図示のように、横方向のリブ１２には、キー３１の上下のフランジ３２の側面に当接する位置決めガイド１３が形成されている。また、上ケース１１のキー３１を配置する開口の上下に沿った部分にも同様の位置決めガイド１３が形成されている。
【００１９】
また、位置決めガイド１３と一体に、基板３５に重ねたインナーラバー３７の上に重なるボス１４が形成されている。そして、位置決めガイド１３と一体に、ボス１４より長い突起１５が形成されている。図示例では、ボス１４と突起１５が横方向に交互に配置されている。
【００２０】
キー３１の横方向のガタは、そのフランジ３２の左右の側面とリブ１２の位置決めガイド１３との当接により防止される。
また、キー３１の縦方向のガタは、その上下の側面とリブ１２との当接、及び上ケース１１の開口の上下に沿った部分との当接により防止される。
【００２１】
図５及び図６はリブ１２と基板３５との係合関係を示したもので、図示のように、基板３５には、リブ１２の突起１５が挿入される孔３６が形成されている。また、インナーラバー３７には、リブ１２の突起１５が貫通する孔３８が形成されている。
【００２２】
従って、リブ１２の突起１５は、横方向の二箇所において、インナーラバー３７の孔３８を貫通して、基板３５の孔３６に挿入した係合状態となる。
【００２３】
なお、基板３５は、上ケース１１にねじ止め固定されている。この基板３５の下に下ケース１６が重ねられている。下ケース１６は上ケース１１に周囲でねじ止め固定される。
【００２４】
以上、実施形態の電卓によれば、下部のキー装置３において、縦方向のリブをなくして、キー３１を横方向に並べて配置する開口を横方向のリブ１２のみで上下に仕切ったので、キー３１を横方向に最接近させて並べられることによって、キー装置３を小型化することができる。
【００２５】
そして、横方向のリブ１２の突起１５を、二箇所において、インナーラバー３７の孔３８を貫通して、基板３５の孔３６に挿入した係合状態としたので、縦方向のリブをなくしながら、横方向のリブ１２の剛性を確保して、筐体１の強度も確保することができる。
【００２６】
（変形例）
以上の実施形態においては、電卓としたが、本発明はこれに限定されるものではなく、カメラ、ＰＤＡ、ノートパソコン、ウェアラブルパソコン、電子辞書、携帯電話などの機器全てに用いることができる。
また、実施形態では、縦方向のリブをなくして横方向のリブを設けたが、横方向のリブをなくして縦方向のリブを設けてもよい。
さらに、キーやリブの形状等も任意であり、その他、具体的な細部構造等についても適宜に変更可能であることは勿論である。
【符号の説明】
【００２７】
１  筐体
１１  上ケース
１２  リブ
１３  位置決めガイド
１４  ボス
１５  突起
１６  下ケース
２  表示部
３  本発明によるキー装置
３１  キー
３２  フランジ
３５  基板
３６  孔
３７  インナーラバー
３８  孔
４  他のキー装置
【図１】
2011222340.tif 000003
【図２】
2011222340.tif 000004
【図３】
2011222340.tif 000005
【図４】
2011222340.tif 000006
【図５】
2011222340.tif 000007
【図６】
2011222340.tif 000008
【手続補正書】
【提出日】平成23年4月12日(2011.4.12)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
縦方向または横方向いずれか一方向のリブにより仕切られた開口を有する筐体と、
前記開口に沿って配置される複数のキーと、
前記筐体に内蔵される基板と、を備え、
前記リブを前記基板に係合したことを特徴とするキー装置。
【請求項２】
前記リブに形成される突起を、前記基板に形成される孔に挿入したことを特徴とする請求項１に記載のキー装置。
【請求項３】
前記キーと基板との間に配置されるインナーラバーを備え、
前記リブの突起を、前記インナーラバーに形成される孔に貫通したことを特徴とする請求項２に記載のキー装置。
【請求項４】
前記キーは、前記リブに対し抜け止めされるフランジを有していることを特徴とする請求項１から３のいずれか一項に記載のキー装置。
【請求項５】
前記キーに、前記リブと前記開口の周囲の筐体部分の裏側に当接して抜け止めするフランジを形成して、
前記リブと前記開口の周囲の筐体部分の裏側には、前記フランジの側面に当接する位置決めガイドを形成したことを特徴とする請求項１から請求項４のいずれか一項に記載のキー装置。
【請求項６】
請求項１から５のいずれか一項に記載のキー装置を備えることを特徴とする電子機器。